(57)【要約】      （修正有）【課題】現場での固定作業を必要とせず、鋼製部材の防護層の剥離を効果的に防止できる防護層を有する鋼製部材、基礎構造物、防護層を有する鋼製部材の製造方法及び基礎構造物の施工方法を提供すること。【解決手段】防護層を有する鋼製部材１であって、前面側Ａと背面側Ｂとの境界に設けられる鋼製部材２と、鋼製部材２の軸芯方向Ｙで所定の範囲に設けられる防護層３とを備え、鋼製部材２は、防護層３の端縁部を保護する端面保護部材４が固定されることを特徴とする。【選択図】図２
2018084059.tif 000002
【特許請求の範囲】
【請求項１】
防護層を有する鋼製部材であって、
前面側と背面側との境界に設けられる鋼製部材と、前記鋼製部材の軸芯方向で所定の範囲に設けられる防護層とを備え、
前記鋼製部材は、前記防護層の端縁部を保護する端面保護部材が固定されること
を特徴とする防護層を有する鋼製部材。
【請求項２】
前記端面保護部材は、前記軸芯方向に略平行な前記防護層の両側端縁部に沿って配置されること
を特徴とする請求項１に記載の防護層を有する鋼製部材。
【請求項３】
前記端面保護部材は、前記防護層の下辺である下側端縁部に沿って配置されること
を特徴とする請求項１又は２に記載の防護層を有する鋼製部材。
【請求項４】
前記端面保護部材は、前記防護層の上辺である上側端縁部に沿って配置されること
を特徴とする請求項１〜３の何れか１項に記載の防護層を有する鋼製部材。
【請求項５】
前記端面保護部材は、溶接により前記鋼製部材に固定されること
を特徴とする請求項１〜４の何れか１項に記載の防護層を有する鋼製部材。
【請求項６】
前記端面保護部材は、前記鋼製部材の表面との隙間が楔状空間となるように固定され、
前記防護層は、端縁部が前記楔状空間の内に充填されるように設けられること
を特徴とする請求項１〜５の何れか１項に記載の防護層を有する鋼製部材。
【請求項７】
前記鋼製部材、及び、前記端面保護部材の少なくとも一方は、前記防護層が接触する領域の全部又は一部に粗化面、及び、凹凸面の少なくとも一方を有すること
を特徴とする請求項１〜６の何れか１項に記載の防護層を有する鋼製部材。
【請求項８】
前記端面保護部材を前記鋼製部材に固定する溶接部は、前記防護層が接触する領域の全部又は一部に粗化面、及び、凹凸面の少なくとも一方を有すること
を特徴とする請求項５に記載の防護層を有する鋼製部材。
【請求項９】
前記防護層は、端縁部の厚みの大きさが、前記鋼製部材の表面からの前記端面保護部材の高さと略同一の大きさ以下であること
を特徴とする請求項１〜８の何れか１項に記載の防護層を有する鋼製部材。
【請求項１０】
前記端面保護部材は、断面略円形状の丸鋼、断面略矩形状の角鋼、断面略三角形状の三角鋼、及び、断面略台形状の台形鋼の何れか又は何れか２つ以上の組み合わせで構成されること
を特徴とする請求項１〜９の何れか１項に記載の防護層を有する鋼製部材。
【請求項１１】
前記端面保護部材は、前記防護層が設けられる側に傾斜面を有して固定され、前記鋼製部材と前記傾斜面との間に前記防護層の端縁部が充填されること
を特徴とする請求項１〜１０の何れか１項に記載の防護層を有する鋼製部材。
【請求項１２】
前記端面保護部材は、前記防護層が設けられる側に傾斜面を有するように、前記防護層が設けられる側と反対側が溶接により前記鋼製部材に固定されること
を特徴とする請求項１１に記載の防護層を有する鋼製部材。
【請求項１３】
前記端面保護部材は、前記鋼製部材の表面に対して離間して配置されること
を特徴とする請求項１〜１２の何れか１項に記載の防護層を有する鋼製部材。
【請求項１４】
前記鋼製部材は、鋼矢板、鋼管杭、及び、鋼管矢板の何れかで構成されること
を特徴とする請求項１〜１３の何れか１項に記載の防護層を有する鋼製部材。
【請求項１５】
前記防護層は、有機系材料を主成分とすること
を特徴とする請求項１〜１４の何れか１項に記載の防護層を有する鋼製部材。
【請求項１６】
防護層を有する鋼製部材を用いた基礎構造物であって、
前面側と背面側との境界に設けられる鋼製部材と、前記鋼製部材の軸芯方向で所定の範囲に取り付けられる防護層とを備え、
前記鋼製部材は、前記防護層の端縁部を保護する端面保護部材が固定され、軸芯方向の下部が地盤に立設されるとともに、軸芯方向の上部が上部コンクリートに埋設されること
を特徴とする基礎構造物。
【請求項１７】
前記防護層は、下辺となる下側端縁部の位置が、干潮面下１ｍ以深であること
を特徴とする請求項１６に記載の基礎構造物。
【請求項１８】
前記防護層は、下辺となる下側端縁部の位置が、平均干潮面以深であること
を特徴とする請求項１６に記載の基礎構造物。
【請求項１９】
防護層を有する鋼製部材の製造方法であって、
前記鋼製部材に前記防護層の端縁部を保護する端面保護部材を固定する固定工程と、
前記鋼製部材、及び、前記端面保護部材の少なくとも一方の全部又は一部に粗化面、及び、凹凸面の少なくとも一方を形成する素地調整工程と、
前記粗化面、及び、凹凸面の少なくとも一方を含む領域にプライマ層を形成するプライマ塗装工程と、
前記プライマ層の上に前記防護層となる有機系材料を塗布する塗布工程とを備えること
を特徴とする防護層を有する鋼製部材の製造方法。
【請求項２０】
防護層を有する鋼製部材を用いた基礎構造物の施工方法であって、
前面側と背面側との境界に設けられる鋼製部材と、前記鋼製部材の軸芯方向で所定の範囲に設けられる防護層とを有し、前記鋼製部材に前記防護層の端縁部を保護する端面保護部材が固定された鋼製部材を、前記防護層の下側端縁部の位置が、干潮面下１ｍ以深、又は、平均干潮面以深となるように地盤に立設する工程を備えること
を特徴とする基礎構造物の施工方法。
【発明の詳細な説明】
【技術分野】
【０００１】
本発明は、港湾鋼構造物等の水域構造物、擁壁、土留壁等の陸域構造物で、前面側と背面側との境界に設けられる防護層を有する鋼製部材、基礎構造物、防護層を有する鋼製部材の製造方法及び基礎構造物の施工方法に関する。
【背景技術】
【０００２】
従来から、海洋構造物を構成する鋼矢板の表面に防護層を有する重防食鋼矢板や、この重防食鋼矢板が用いられた海洋構造物が提案されており、例えば、特許文献１に開示されるような重防食鋼矢板が提案されている。
【０００３】
特許文献１に開示された重防食鋼矢板は、潮の飛翔、干満に晒された重防食鋼矢板の相互の継手部を重防食被覆膜（防護層）が施されていない部分を含め、強固に且つ簡便に防食するとともに防食被覆膜の剥離を防止する重防食鋼矢板継手の防食構造を提供するものである。
【０００４】
具体的には、特許文献１に開示された重防食鋼矢板は、第１、第２の重防食鋼矢板の継手に対し、保護カバーにより、継手領域を遮蔽して固定する構造である。ここで、保護カバーは、差込板部と、遮蔽板部とから断面略Ｌ字状に一体的且つ弾性的に構成されており、保護カバーの遮蔽板部には、押圧調整部材が設けられ、この押圧調整部材は、第１の重防食鋼矢板を押圧した状態でその第１の重防食鋼矢板と遮蔽板部の間隔を調整するように構成されている。
【先行技術文献】
【特許文献】
【０００５】
【特許文献１】特開２００４−１３７８０１号公報
【発明の概要】
【発明が解決しようとする課題】
【０００６】
特許文献１に開示された重防食鋼矢板は、差込板部と、遮蔽板部とから断面略Ｌ字状に一体的且つ弾性的に構成される保護カバーを鋼矢板の継手に固定している。そして、この保護カバーが防食被覆膜（防護層）の端縁部を押圧することで防食被覆膜の剥離を防止している。
【０００７】
特許文献１に開示された重防食鋼矢板は、複数の重防食鋼矢板を壁幅方向に連結して地盤に立設した後、重防食鋼矢板の継手部に保護カバーを固定する必要がある。このため、重防食鋼矢板を用いた基礎構造物を施工する工程数が増加する。結果、施工期間及び施工費用が増加する。
【０００８】
また、特許文献１に開示された重防食鋼矢板は、保護カバーをボルト及びナット、もしくは水中硬化性防食材で重防食鋼矢板の継手に固定している。しかし、ボルト及びナットで保護カバーを固定している場合、揺れや振動により、ナットが緩んで保護カバーが外れる虞がある。特に、港湾鋼構造物等の水域構造物に用いる場合、波や漂流物がぶつかる衝撃によりナットが緩む可能性が高く、保護カバーが外れる虞が高くなる。また、水中硬化性防食材は、経時劣化等による接着力劣化のため、保護カバーが外れる虞がある。
【０００９】
そこで、本発明は、上述した問題点に鑑みて案出されたものであって、その目的とするところは、現場での固定作業を必要とせず、鋼製部材の防護層の剥離を効果的に防止できる防護層を有する鋼製部材、基礎構造物、防護層を有する鋼製部材の製造方法及び基礎構造物の施工方法を提供することにある。
【課題を解決するための手段】
【００１０】
第１発明の防護層を有する鋼製部材は、前面側と背面側との境界に設けられる鋼製部材と、前記鋼製部材の軸芯方向で所定の範囲に設けられる防護層とを備え、前記鋼製部材は、前記防護層の端縁部を保護する端面保護部材が固定されることを特徴とする。
【００１１】
第２発明の防護層を有する鋼製部材は、第１発明において、前記端面保護部材は、前記軸芯方向に略平行な前記防護層の両側端縁部に沿って配置されることを特徴とする。
【００１２】
第３発明の防護層を有する鋼製部材は、第１発明又は第２発明において、前記端面保護部材は、前記防護層の下辺である下側端縁部に沿って配置されることを特徴とする。
【００１３】
第４発明の防護層を有する鋼製部材は、第１発明〜第３発明の何れかにおいて、前記端面保護部材は、前記防護層の上辺である上側端縁部に沿って配置されることを特徴とする。
【００１４】
第５発明の防護層を有する鋼製部材は、第１発明〜第４発明の何れかにおいて、前記端面保護部材は、溶接により前記鋼製部材に固定されることを特徴とする。
【００１５】
第６発明の防護層を有する鋼製部材は、第１発明〜第５発明の何れかにおいて、前記端面保護部材は、前記鋼製部材の表面との隙間が楔状空間となるように固定され、前記防護層は、端縁部が前記楔状空間の内に充填されるように設けられることを特徴とする。
【００１６】
第７発明の防護層を有する鋼製部材は、第１発明〜第６発明の何れかにおいて、前記鋼製部材、及び、前記端面保護部材の少なくとも一方は、前記防護層が接触する領域の全部又は一部に粗化面、及び、凹凸面の少なくとも一方を有することを特徴とする。
【００１７】
第８発明の防護層を有する鋼製部材は、第５発明において、前記端面保護部材を前記鋼製部材に固定する溶接部は、前記防護層が接触する領域の全部又は一部に粗化面、及び、凹凸面の少なくとも一方を有することを特徴とする。
【００１８】
第９発明の防護層を有する鋼製部材は、第１発明〜第８発明の何れかにおいて、前記防護層は、端縁部の厚みの大きさが、前記鋼製部材の表面からの前記端面保護部材の高さと略同一の大きさ以下であることを特徴とする。
【００１９】
第１０発明の防護層を有する鋼製部材は、第１発明〜第９発明の何れかにおいて、前記端面保護部材は、断面略円形状の丸鋼、断面略矩形状の角鋼、断面略三角形状の三角鋼、及び、断面略台形状の台形鋼の何れか又は何れか２つ以上の組み合わせで構成されることを特徴とする。
【００２０】
第１１発明の防護層を有する鋼製部材は、第１発明〜第１０発明の何れかにおいて、前記端面保護部材は、前記防護層が設けられる側に傾斜面を有して固定され、前記鋼製部材と前記傾斜面との間に前記防護層の端縁部が充填されることを特徴とする。
【００２１】
第１２発明の防護層を有する鋼製部材は、第１１発明において、前記端面保護部材は、前記防護層が設けられる側に傾斜面を有するように、前記防護層が設けられる側と反対側が溶接により前記鋼製部材に固定されることを特徴とする。
【００２２】
第１３発明の防護層を有する鋼製部材は、第１発明〜第１２発明の何れかにおいて、前記端面保護部材は、前記鋼製部材の表面に対して離間して配置されることを特徴とする。
【００２３】
第１４発明の防護層を有する鋼製部材は、第１発明〜第１３発明の何れかにおいて、前記鋼製部材は、鋼矢板、鋼管杭、及び、鋼管矢板の何れかで構成されることを特徴とする。
【００２４】
第１５発明の防護層を有する鋼製部材は、第１発明〜第１４発明の何れかにおいて、前記防護層は、有機系材料を主成分とすることを特徴とする。
【００２５】
第１６発明の基礎構造物は、前面側と背面側との境界に設けられる鋼製部材と、前記鋼製部材の軸芯方向で所定の範囲に取り付けられる防護層とを備え、前記鋼製部材は、前記防護層の端縁部を保護する端面保護部材が固定され、軸芯方向の下部が地盤に立設されるとともに、軸芯方向の上部が上部コンクリートに埋設されることを特徴とする。
【００２６】
第１７発明の基礎構造物は、第１６発明において、前記防護層は、下辺となる下側端縁部の位置が、干潮面下１ｍ以深であることを特徴とする。
【００２７】
第１８発明の基礎構造物は、第１６発明において、前記防護層は、下辺となる下側端縁部の位置が、平均干潮面以深であることを特徴とする。
【００２８】
第１９発明の防護層を有する鋼製部材の製造方法は、前記鋼製部材に前記防護層の端縁部を保護する端面保護部材を固定する固定工程と、前記鋼製部材、及び、前記端面保護部材の少なくとも一方の全部又は一部に粗化面、及び、凹凸面の少なくとも一方を形成する素地調整工程と、前記粗化面、及び、凹凸面の少なくとも一方を含む領域にプライマ層を形成するプライマ塗装工程と、前記プライマ層の上に前記防護層となる有機系材料を塗布する塗布工程とを備えることを特徴とする。
【００２９】
第２０発明の基礎構造物の施工方法は、前面側と背面側との境界に設けられる鋼製部材と、前記鋼製部材の軸芯方向で所定の範囲に設けられる防護層とを有し、前記鋼製部材に前記防護層の端縁部を保護する端面保護部材が固定された鋼製部材を、前記防護層の下側端縁部の位置が、干潮面下１ｍ以深、又は、平均干潮面以深となるように地盤に立設する工程を備えることを特徴とする。
【発明の効果】
【００３０】
第１発明〜第２０発明によれば、現場での固定作業、具体的には、鋼製部材を地盤等に立設した後の固定作業を必要としない。これにより、鋼製部材を用いた基礎構造物を施工する工程数が増加せず、施工期間及び施工費用を抑制することができる。
【００３１】
特に、第５発明によれば、端面保護部材は、溶接により固定される。これにより、ボルト及びナット、もしくは水中硬化性防食材で固定した場合に比して、端面保護部材が鋼製部材から外れる虞が低く、確実に防護層の剥離を防止することができる。
【００３２】
特に、第６発明によれば、端面保護部材は、鋼製部材の表面との隙間が楔状空間となるように固定され、防護層は、端縁部が楔状空間の内に充填されるように設けられる。これにより、防護層の端縁部が楔状空間内に食い込むように設けられるため、防護層の端縁部の浮きを機械的に抑制することができるとともに、防護層の端縁部の接触面積が増加するため、防護層の端縁部からのまくれや剥がれを効果的に防止することができ、防食性能の低下を効果的に抑制できる。
【図面の簡単な説明】
【００３３】
【図１】本発明を適用した基礎構造物を示す斜視図である。
【図２】本発明を適用した防護層を有する鋼製部材を示す斜視図である。
【図３】（ａ）は、本発明を適用した防護層を有する鋼製部材の第１実施形態の鋼製部材（ハット形鋼矢板）を示す平面図であり、（ｂ）は、その正面図である。
【図４】（ａ）は、本発明を適用した防護層を有する鋼製部材の第１実施形態の防護層の両側端縁部に固定した端面保護部材を示す平面図であり、（ｂ）は、その正面図である。
【図５】（ａ）は、本発明を適用した防護層を有する鋼製部材の第１実施形態の防護層の両側端縁部及び下側端縁部に固定した端面保護部材を示す平面図であり、（ｂ）は、その正面図である。
【図６】（ａ）は、本発明を適用した防護層を有する鋼製部材の第１実施形態の防護層の両側端縁部、下側端縁部及び上側端縁部に固定した端面保護部材を示す平面図であり、（ｂ）は、その正面図である
【図７】（ａ）は、本発明を適用した防護層を有する鋼製部材の端面保護部材を断面略円形状の丸鋼とし、鋼製部材の表面との隙間が楔状空間となるように固定した断面図、（ｂ）は、その楔状空間に防護層の端縁部が充填された断面図である。
【図８】（ａ）は、本発明を適用した防護層を有する鋼製部材の端面保護部材を断面略矩形状の角鋼とした断面図、（ｂ）は、その端面保護部材を断面略三角形状の三角鋼とした断面図、（ｃ）は、端面保護部材を断面略台形状の台形鋼とした断面図である。
【図９】（ａ）は、本発明を適用した防護層を有する鋼製部材の端面保護部材を断面略円形状の丸鋼とし、防護層の端縁部の厚みの大きさが、鋼製部材の表面からの端面保護部材の高さと略同一とした場合の断面図、（ｂ）は、その端面保護部材を断面略矩形状の角鋼とした断面図、（ｃ）は、その端面保護部材を断面略三角形状の三角鋼とした断面図、（ｄ）は、その端面保護部材を断面略台形状の台形鋼とした断面図である。
【図１０】（ａ）は、本発明を適用した防護層を有する鋼製部材の端面保護部材を断面略矩形状の角鋼とし、防護層が設けられる側に傾斜面を有して固定した断面図、（ｂ）は、その端面保護部材を断面略三角形状の三角鋼とした断面図、（ｃ）は、その端面保護部材を断面略形状の台形鋼とした断面図である。
【図１１】（ａ）は、本発明を適用した防護層を有する鋼製部材の端面保護部材を断面略矩形状の角鋼とし、防護層が設けられる側に傾斜面を有して固定し、かつ、防護層の端縁部の厚みの大きさが、鋼製部材の表面からの端面保護部材の高さと略同一とした場合の断面図、（ｂ）は、その端面保護部材を断面略三角形状の三角鋼とした断面図、（ｃ）は、その端面保護部材を断面略形状の台形鋼とした断面図である。
【図１２】（ａ）は、本発明を適用した防護層を有する鋼製部材の端面保護部材を、防護層が設けられる側に傾斜面を有して固定する方法の載置工程図、（ｂ）は、その溶接工程図である。
【図１３】（ａ）は、本発明を適用した防護層を有する鋼製部材の端面保護部材を鋼製部材の表面に対して離間して配置した断面図、（ｂ）は、その側面図である。
【図１４】（ａ）は、本発明を適用した防護層を有する鋼製部材の防護層が接触する領域に形成された粗化面を示す拡大断面図、（ｂ）は、その領域に凹凸面を示す拡大断面図である。
【図１５】本発明を適用した防護層を有する鋼製部材の第１実施形態の防護層を有する鋼製部材の製造方法であり、（ａ）は、端面保護部材を固定する固定工程、（ｂ）は、プライマ層を形成するプライマ塗装工程、（ｃ）は、有機材材料を塗布する塗布工程である。
【図１６】（ａ）は、本発明を適用した防護層を有する鋼製部材の第２実施形態の鋼製部材（Ｕ形鋼矢板）の溝外側に防護層を有する場合を示す平面図であり、（ｂ）は、溝内側に防護層を有する場合を示す平面図である。
【図１７】（ａ）は、本発明を適用した防護層を有する鋼製部材の第３実施形態の鋼製部材（鋼管杭）を示す平面図であり、（ｂ）は、その正面図である。
【図１８】（ａ）は、本発明を適用した防護層を有する鋼製部材の第３実施形態の鋼製部材（鋼管杭）の全周に防護層が設けられている場合を示す平面図であり、（ｂ）は、その正面図である。
【図１９】（ａ）は、本発明を適用した防護層を有する鋼製部材の第４実施形態の鋼製部材（鋼管矢板）を示す平面図であり、（ｂ）は、その正面図である。
【図２０】（ａ）は、本発明を適用した第１実施形態の鋼製部材（ハット形鋼矢板）を用いた基礎構造物を示す側面図、（ｂ）は、第２実施形態の鋼製部材（Ｕ形鋼矢板）を用いた基礎構造物を示す側面図である。
【図２１】（ａ）は、本発明を適用した基礎構造物で防護層の下辺である下側端縁部の位置が干潮面下１ｍ以深であることを示す側面図であり、（ｂ）は、その下側端縁部の位置が平均干潮面以深であることを示す側面図である。
【図２２】（ａ）は、本発明を適用した基礎構造物で防護層が上部コンクリートに延びたものを示す側面図であり、（ｂ）は、タイロッド式の鋼矢板壁を示す側面図である。
【発明を実施するための形態】
【００３４】
以下、本発明を適用した防護層を有する鋼製部材１及び基礎構造物８を実施するための形態について、図面を参照しながら詳細に説明する。
【００３５】
本発明を適用した基礎構造物８は、図１に示すように、主に、港湾鋼構造物等の水域構造物、擁壁、土留壁等の陸域構造物で、前面側Ａと背面側Ｂとの境界に設けられる。本発明を適用した基礎構造物８は、ハット形鋼矢板６、Ｕ形鋼矢板、鋼管杭又は鋼管矢板等が地盤８０に打設されて立設されるものであり、複数のハット形鋼矢板６、Ｕ形鋼矢板、鋼管杭又は鋼管矢板が並べられることで、壁体構造が構築される。複数のハット形鋼矢板６、Ｕ形鋼矢板、鋼管杭又は鋼管矢板は、これに限らず、地盤８０に埋め込まれるもの、又は、フーチングコンクリートに立設されるものとすることもできる。また、地盤８０には、水底地盤、海底地盤等が含まれるものとする。
【００３６】
最初に、本発明を適用した防護層を有する鋼製部材１の第１実施形態について説明する。本発明を適用した防護層を有する鋼製部材１は、前面側Ａと背面側Ｂとの境界に設けられるものであって、図２に示すように、第１実施形態において、断面略ハット形状の鋼矢板が用いられた鋼製部材２と、鋼製部材２の鉛直方向（以下、軸芯方向Ｙという）で所定の範囲に設けられる防護層３とを備える。
【００３７】
鋼製部材２は、図３に示すように、断面略ハット形状のハット形鋼矢板６が用いられるものである。ハット形鋼矢板６の鋼製部材２は、フランジ部６１と、一対のウェブ部６２と、一対のアーム部６３と、一対の継手部６４とを備える。一対のウェブ部６２は、ハット形鋼矢板６の延長（法線）方向（以下、壁幅方向Ｘという）でフランジ部６１の両端から傾斜させて連続して設けられる。一対のアーム部６３は、フランジ部６１と略平行になるように一対のウェブ部６２の各々から連続して設けられる。一対の継手部６４は、一対のアーム部６３の各々の片端から連続して設けられる。ハット形鋼矢板６は、複数の鋼製部材２を壁幅方向Ｘに連結させて壁体構造を構築する場合に、隣り合うハット形鋼矢板６の一方の継手部６４に、他方の継手部６４を嵌合させるものとなる。
【００３８】
防護層３は、図４に示すように、鋼製部材２の腐食、摩耗又は衝突力に抵抗するための前面側Ａで鋼製部材２に設けられる。防護層３は、ウレタン樹脂やエポキシ等の有機系材料を主成分とする材料をハット形鋼矢板６の鋼製部材２の前面側Ａの所定の範囲に吹き付けて、刷毛塗り、ローラ塗り等の手段で形成される。
【００３９】
端面保護部材４は、防護層３の端縁部のまくれや剥がれを防止する保護部材である。端面保護部材４は、軸芯方向Ｙに略平行な防護層３の両側端縁部の一方である左側端縁部３１に沿って端面保護部材４である左側端面保護部材４１が固定され、防護層３の両側端縁部の他方である右側端縁部３２に沿って端面保護部材４である右側端面保護部材４２が固定される。
【００４０】
端面保護部材４は、図５に示すように、防護層３の下辺である下側端縁部３３に沿って下側端面保護部材４３が固定されてもよい。また、端面保護部材４は、図６に示すように、防護層３の上辺である上側端縁部３４に沿って上側端面保護部材４４が固定されてもよい。なお、端面保護部材４は、防護層３の左側端縁部３１、右側端縁部３２、下側端縁部３３及び上側端縁部３４の少なくとも一つに沿って固定されてもよい。
【００４１】
端面保護部材４は、図７に示すように、断面円形状又は楕円の断面略円形状の丸鋼を溶接部１１によりハット形鋼矢板６の鋼製部材２に固定してもよい。丸鋼の端面保護部材４を使用する場合、図７（ａ）に示すように、丸鋼の端面保護部材４と、ハット形鋼矢板６の鋼製部材２の表面と間に、丸鋼の端面保護部材４とハット形鋼矢板６の鋼製部材２との当接箇所に向かうに従い先細りとなる楔状空間４５が形成される。防護層３は、図７（ｂ）に示すように、端縁部が楔状空間４５の内に充填されるように設けられる。防護層３は、端縁部の厚みの大きさが、ハット形鋼矢板６の鋼製部材２の表面からの丸鋼の端面保護部材４の高さＴ１と略同一の大きさ以下であるのが好ましい。
【００４２】
端面保護部材４は、図８（ａ）に示すように、断面矩形状又は角部が丸みを帯びた断面略矩形状の角鋼を溶接部１１によりハット形鋼矢板６の鋼製部材２に固定してもよい。また、端面保護部材４は、図８（ｂ）に示すように、断面三角形状又は角部が丸みを帯びた断面略三角形状の三角鋼を溶接部１１によりハット形鋼矢板６の鋼製部材２に固定してもよい。さらに、端面保護部材４は、図８（ｃ）に示すように、断面台形状又は角部が丸みを帯びた断面略台形状の角鋼を溶接部１１によりハット形鋼矢板６の鋼製部材２に固定してもよい。防護層３は、図８（ａ）〜（ｃ）に示すように、端縁部の厚みの大きさが、ハット形鋼矢板６の鋼製部材２の表面からの角鋼、三角鋼又は台形鋼の端面保護部材４の各々の高さＴ２〜Ｔ４と略同一の大きさ以下であるのが好ましい。
【００４３】
防護層３は、図９（ａ）に示すように、端縁部の厚みの大きさが、ハット形鋼矢板６の鋼製部材２の表面からの丸鋼の端面保護部材４の高さＴ１と略同一の大きさとしてもよい。また、防護層３は、図９（ｂ）に示すように、端縁部の厚みの大きさが、ハット形鋼矢板６の鋼製部材２の表面からの角鋼の端面保護部材４の高さＴ２と略同一の大きさとしてもよい。また、防護層３は、図９（ｃ）に示すように、端縁部の厚みの大きさが、ハット形鋼矢板６の鋼製部材２の表面からの三角鋼の端面保護部材４の高さＴ３と略同一の大きさとしてもよい。さらに、防護層３は、図９（ｄ）に示すように、端縁部の厚みの大きさが、ハット形鋼矢板６の鋼製部材２の表面からの台形鋼の端面保護部材４の高さＴ４と略同一の大きさとしてもよい。
【００４４】
角鋼の端面保護部材４は、図１０（ａ）に示すように、防護層３が設けられる側に傾斜面４６を有するように、防護層３が設けられる側と反対側が溶接部１１によりハット形鋼矢板６の鋼製部材２に固定されてもよい。ハット形鋼矢板６の鋼製部材２と角鋼の端面保護部材４の傾斜面４６との間には、防護層３の端縁部が充填される。なお、防護層３は、図１１（ａ）に示すように、端縁部の厚みの大きさが、ハット形鋼矢板６の鋼製部材２の表面からの角鋼の端面保護部材４の高さと略同一の大きさとしてもよい。
【００４５】
三角鋼の端面保護部材４は、図１０（ｂ）に示すように、防護層３が設けられる側に傾斜面４６を有するように、防護層３が設けられる側と反対側が溶接部１１によりハット形鋼矢板６の鋼製部材２に固定されてもよい。ハット形鋼矢板６の鋼製部材２と三角鋼の端面保護部材４の傾斜面４６との間には、防護層３の端縁部が充填される。なお、防護層３は、図１１（ｂ）に示すように、端縁部の厚みの大きさが、ハット形鋼矢板６の鋼製部材２の表面からの三角鋼の端面保護部材４の高さと略同一の大きさとしてもよい。
【００４６】
台形鋼の端面保護部材４は、図１０（ｃ）に示すように、防護層３が設けられる側に傾斜面４６を有するように、防護層３が設けられる側と反対側が溶接部１１によりハット形鋼矢板６の鋼製部材２に固定されてもよい。ハット形鋼矢板６の鋼製部材２と台形鋼の端面保護部材４の傾斜面４６との間には、防護層３の端縁部が充填される。なお、防護層３は、図１１（ｃ）に示すように、端縁部の厚みの大きさが、ハット形鋼矢板６の鋼製部材２の表面からの台形鋼の端面保護部材４の高さと略同一の大きさとしてもよい。
【００４７】
端面保護部材４は、図７〜１１に示すように、防護層３が設けられる側とは反対側が溶接部１１によりハット形鋼矢板６の鋼製部材２に固定されているが、一層目（一回目）の溶接不良部位は、防護層３が設けられる側である内側からガウジングしないのが好ましい。また、端面保護部材４は、防護層３が設けられる側とは反対側が溶接部１１によりハット形鋼矢板６の鋼製部材２に固定されているが、防護層３が設けられる側が溶接部１１によりハット形鋼矢板６の鋼製部材２に固定されてもよい。防護層３が設けられる側が溶接部１１によりハット形鋼矢板６の鋼製部材２に固定される場合、溶接部１１の表面粗度は、防護層３が設けられるハット形鋼矢板６の鋼製部材２の表面粗度と同程度であることが好ましい。また、溶接部１１ののど厚（肉盛り量）は、変化してもよい。さらに、防護層３は、端縁部である端面保護部材４に向かって滑らかに厚みが増すように設けることが好ましい。つまり、防護層３の厚みは、図９、１０、１１に示すように、防護層３の端縁部である端面保護部材４に向かって滑らかに漸増することが好ましい。
【００４８】
次に、防護層３が設けられる側に傾斜面４６を有するように、端面保護部材４をハット形鋼矢板６の構成部材２に溶接により固定する方法について説明する。初めに、角鋼の端面保護部材４を、図１２（ａ）に示すように、ハット形鋼矢板６の鋼製部材２の上に載置する。次に、図１２（ｂ）に示すように、角鋼の端面保護部材４の防護層３が設けられる側と反対側を溶接する。この溶接により角鋼の端面保護部材４の防護層３が設けられる側と反対側に溶接部１１が形成されるが、この溶接部１１が冷えるに従い収縮するため、角鋼の端面保護部材４が溶接部１１を略中心として矢印の向きに回転し、角鋼の端面保護部材４は、防護層３が設けられる側に傾斜面４６を有してハット形鋼矢板６の鋼製部材２に固定される。上記説明では、角鋼の端面保護部材４を防護層３が設けられる側に傾斜面４６を有するように固定する方法について説明したが、同様の方法により、三角鋼又は台形鋼の端面保護部材４を防護層３が設けられる側に傾斜面４６を有するように固定することができ、端面保護部材４の傾斜面４６と、ハット形鋼矢板６の鋼製部材２の表面と間に、先細りとなる楔状空間が形成される。
【００４９】
丸鋼の端面保護部材４は、図１３（ａ）に示すように、溶接部１１によりハット形鋼矢板６の鋼製部材２の表面に対して離間して固定されてもよい。また、溶接部１１は、防護材３の端縁部に沿って連続的に設けるだけでなく、図１３（ｂ）に示すように所定の間隔で断続的に設けられてもよい。端面保護部材４を、図１３（ａ）に示すように、ハット形鋼矢板６の鋼製部材２の表面に対して離間して固定するには、例えば、置きビード（ルート間隔保持ビード）により端面保護部材４をハット形鋼矢板６の鋼製部材２の表面に対して浮き上がらせることができるが、他の方法により、端面保護部材４をハット形鋼矢板６の鋼製部材２の表面に対して離間して固定してもよい。なお、丸鋼以外の角鋼、三角鋼及び台形鋼の端面保護部材４についても、同様に、溶接部１１によりハット形鋼矢板６の鋼製部材２の表面に対して離間して固定されてもよい。
【００５０】
ハット形鋼矢板６の鋼製部材２は、図１４（ａ）に示すように、防護層３が接触する領域の全部又は一部に粗化面６５を有してもよい。また、角鋼の端面保護部材４は、防護層３が接触する領域の全部又は一部に粗化面４７を有してもよい。さらに、角鋼の端面保護部材４をハット形鋼矢板６の鋼製部材２に固定する溶接部１１は、防護層３が接触する領域の全部又は一部に粗化面１１ａを有してもよい。粗化面６５、４７、１１ａは、例えば、サンドブラストやショットブラスト加工等により形成することができる。
【００５１】
また、ハット形鋼矢板６の鋼製部材２は、図１４（ｂ）に示すように、防護層３が接触する領域の全部又は一部に凹凸面６６を有してもよい。また、角鋼の端面保護部材４は、防護層３が接触する領域の全部又は一部に凹凸面４８を有してもよい。さらに、角鋼の端面保護部材４をハット形鋼矢板６の鋼製部材２固定する溶接部１１は、防護層３が接触する領域の全部又は一部に凹凸面１１ｂを有してもよい。凹凸面６６、４８、１１ｂは、例えば、ローレット加工等により形成することができる。
【００５２】
なお、端面保護部材４、ハット形鋼矢板６の鋼製部材２、及び溶接部１１に形成される粗化面又は凹凸面の粗度は同程度であることが好ましい。また、端面保護部材４、ハット形鋼矢板６の鋼製部材２、及び溶接部１１の全てに粗化面又凹凸面を形成しているが、端面保護部材４、ハット形鋼矢板６の鋼製部材２、及び溶接部１１の何れか又は何れか２つ以上の組み合わせで粗化面又凹凸面を形成するようにしてもよい。また、端面保護部材４は、防護層３が設けられる側とは反対側が溶接部１１によりハット形鋼矢板６の鋼製部材２に固定されている場合、溶接部１１には防護層が接触する領域がないため、溶接部１１に粗化面１１ａ又は凹凸面１１ｂを必ずしも形成する必要はない。
【００５３】
次に、図１５を参照して、本発明の防護層を有する鋼製部材の製造方法を説明する。図１５（ａ）に示すように、固定工程として、ハット形鋼矢板６の構成部材２の前面側Ａに丸鋼の端面保護部材４を溶接部１１により固定する。次に、素地調整工程として、ハット形鋼矢板６の鋼製部材２、及び、丸鋼の端面保護部材４の少なくとも一方の全部又は一部に粗化面、及び、凹凸面の少なくとも一方を形成する。次に、プライマ塗装工程として、図１５（ｂ）に示すように、形成された粗化面、及び、凹凸面の少なくとも一方を含む領域に、防錆性、密着性を高めるために有機ジンクリッチペイント等の下塗塗料を塗布してプライマ層３５を形成する。次に、塗布工程として、図１５（ｃ）に示すように、形成したプライマ層３５の上に、防護層３となるウレタン樹脂やエポキシ等の有機系材料を主成分とする塗料３６を吹き付け塗装等により塗布する。なお、端面保護部材４の傾斜面４６と、ハット形鋼矢板６の鋼製部材２の表面と間の楔状空間内は、刷毛等により防護層３となるウレタン樹脂やエポキシ等の有機系材料を先行して塗布してもよい。これにより、塗り残し無く、防護層３となる有機系材料を主成分とする塗料３６を楔状空間内に塗装することができる。
【００５４】
なお、防護層３となる塗料３６は、防護層３の端縁部の向き、すなわち端面保護部材４に向かって滑らかに厚くなるように塗装するのが好ましい。また、プライマ層３５となる下塗塗料及び有機系材料を主成分とする塗料３６を各々複数回塗布してもよい。また、上記図１５（ｂ）及び（ｃ）では、粗化面、及び、凹凸面の記載を省略している。なお、素地調整工程及びプライマ塗装工程は、必ずしも必要ではない。
【００５５】
次に、本発明を適用した防護層を有する鋼製部材１の第２実施形態について説明する。なお、上述した構成要素と同一の構成要素については、同一の符号を付すことにより以下での説明を省略する。本発明を適用した防護層を有する鋼製部材１は、図１６に示すように、第２実施形態において、断面略Ｕ形状の鋼矢板が用いられた鋼製部材２と、鋼製部材２の表面側Ａに設けられる防護層３とを備える。なお、図１６（ａ）は、Ｕ形鋼矢板７の鋼製部材２の溝外側に防護層３を有する場合を示す平面図であり、図１６（ｂ）は、Ｕ形鋼矢板７の鋼製部材２の溝内側に防護層３を有する場合を示す平面図である。
【００５６】
鋼製部材２は、断面略Ｕ形状のＵ形鋼矢板７が用いられるものである。Ｕ形鋼矢板７の鋼製部材２は、フランジ部７１と、一対のウェブ部７２と、一対の継手部７４とを備える。一対のウェブ部７２は、Ｕ形鋼矢板７の壁幅方向Ｘでフランジ部７１の両端から傾斜させて連続して、また、一対の継手部７４は、一対のウェブ部７２の各々の片端から連続して設けられる。Ｕ形鋼矢板７は、複数の鋼製部材２を壁幅方向Ｘに連結させて壁体構造を構築する場合に、隣り合うＵ形鋼矢板７の一方の継手部７４に、他方の継手部７４を嵌合させるものとなる。
【００５７】
本発明を適用した防護層を有する鋼製部材１は、鋼製部材２の腐食、摩耗又は衝突力に抵抗するための前面側Ａで、防護層３が鋼製部材２に設けられる。本発明を適用した防護層を有する鋼製部材１は、第２実施形態においても、第１実施形態と同様に、軸芯方向Ｙに略平行な防護層３の両側端縁部３１，３２に端面保護部材４が固定される。
【００５８】
また、本発明を適用した防護層を有する鋼製部材１は、第２実施形態においても、第１実施形態と同様に、防護層３の下辺である下側端縁部及び上辺である上側端縁部に沿って下側端面保護部材及び上側端面保護部材が各々固定されてもよい。また、端面保護部材４を、断面略円形状の丸鋼、断面略矩形状の角鋼、断面略三角形状の三角鋼、及び、断面略台形状の台形鋼の何れか又は何れか２つ以上の組み合わせで構成できる。
【００５９】
また、本発明を適用した防護層を有する鋼製部材１は、第２実施形態においても、第１実施形態と同様に、防護層３は、端縁部の厚みの大きさが、Ｕ形鋼矢板７の鋼製部材２の表面からの端面保護部材４の高さと略同一の大きさとしてもよい。また、端面保護部材４は、防護層３が設けられる側に傾斜面を有するように、防護層３が設けられる側と反対側が溶接部１１によりＵ形鋼矢板７の鋼製部材２に固定されてもよい。また、端面保護部材４は、溶接部１１によりＵ形鋼矢板７の鋼製部材２の表面に対して離間して固定されてもよい。さらに、Ｕ形鋼矢板７の鋼製部材２、端面保護部材４、及び、溶接部１１の少なくともいずれか１つは、防護層３が接触する領域の全部又は一部に粗化面又は凹凸面を有してもよい。
【００６０】
次に、本発明を適用した防護層を有する鋼製部材１の第３実施形態について説明する。なお、上述した構成要素と同一の構成要素については、同一の符号を付すことにより以下での説明を省略する。本発明を適用した防護層を有する鋼製部材１は、図１７に示すように、第３実施形態において、鋼管杭５が用いられた鋼製部材２と、鋼製部材２の表面側Ａに設けられる防護層３とを備える。
【００６１】
本発明を適用した防護層を有する鋼製部材１は、鋼製部材２の腐食、摩耗又は衝突力に抵抗するための前面側Ａで、防護層３が鋼製部材２に設けられる。本発明を適用した防護層を有する鋼製部材１は、第３実施形態においても、第１実施形態と同様に、軸芯方向Ｙに略平行な防護層３の両側端縁部３１，３２に端面保護部材４が固定される。
【００６２】
また、本発明を適用した防護層を有する鋼製部材１は、第３実施形態においても、第１実施形態と同様に、防護層３の下辺である下側端縁部３３及び上辺である上側端縁部３４に沿って下側端面保護部材及び上側端面保護部材が各々固定されてもよい。また、本発明を適用した防護層を有する鋼製部材１は、図１８に示すように、鋼管杭５が用いられた鋼製部材２の全周に防護層３を設けるようにしてもよい。この場合、防護層３には、防護層３の下辺である下側端縁部３３に沿って下側端面保護部材４３が固定される。
【００６３】
なお、端面保護部材４は、断面略円形状の丸鋼、断面略矩形状の角鋼、断面略三角形状の三角鋼、及び、断面略台形状の台形鋼の何れか又は何れか２つ以上の組み合わせで構成できる。
【００６４】
また、本発明を適用した防護層を有する鋼製部材１は、第３実施形態においても、第１実施形態と同様に、防護層３は、端縁部の厚みの大きさが、鋼管杭５の鋼製部材２の表面からの端面保護部材４の高さと略同一の大きさとしてもよい。また、端面保護部材４は、防護層３が設けられる側に傾斜面を有するように、防護層３が設けられる側と反対側が溶接部１１により鋼管杭５の鋼製部材２に固定されてもよい。また、端面保護部材４は、溶接部１１により鋼管杭５の鋼製部材２の表面に対して離間して固定されてもよい。さらに、鋼管杭５の鋼製部材２、端面保護部材４、及び、溶接部１１の少なくともいずれか１つは、防護層３が接触する領域の全部又は一部に粗化面又は凹凸面を有してもよい。
【００６５】
次に、本発明を適用した防護層を有する鋼製部材１の第４実施形態について説明する。なお、上述した構成要素と同一の構成要素については、同一の符号を付すことにより以下での説明を省略する。本発明を適用した防護層を有する鋼製部材１は、図１９に示すように、第４実施形態において、鋼管矢板９が用いられた鋼製部材２と、鋼製部材２の表面側Ａに設けられる防護層３とを備える。
【００６６】
本発明を適用した防護層を有する鋼製部材１は、鋼製部材２の腐食、摩耗又は衝突力に抵抗するための前面側Ａで、防護層３が鋼製部材２に設けられる。本発明を適用した防護層を有する鋼製部材１は、第４実施形態においても、第１実施形態と同様に、軸芯方向Ｙに略平行な防護層３の両側端縁部３１，３２に端面保護部材４が固定される。
【００６７】
また、本発明を適用した防護層を有する鋼製部材１は、第４実施形態においても、第１実施形態と同様に、防護層３の下辺である下側端縁部３３及び上辺である上側端縁部３４に沿って下側端面保護部材及び上側端面保護部材が各々固定されてもよい。また、端面保護部材４を、断面略円形状の丸鋼、断面略矩形状の角鋼、断面略三角形状の三角鋼、及び、断面略台形状の台形鋼の何れか又は何れか２つ以上の組み合わせで構成できる。
【００６８】
また、本発明を適用した防護層を有する鋼製部材１は、第４実施形態においても、第１実施形態と同様に、防護層３は、端縁部の厚みの大きさが、鋼管矢板９の鋼製部材２の表面からの端面保護部材４の高さと略同一の大きさとしてもよい。また、端面保護部材４は、防護層３が設けられる側に傾斜面を有するように、防護層３が設けられる側と反対側が溶接部１１により鋼管矢板９の鋼製部材２に固定されてもよい。また、端面保護部材４は、溶接部１１により鋼管矢板９の鋼製部材２の表面に対して離間して固定されてもよい。さらに、鋼管矢板９の鋼製部材２、端面保護部材４、及び、溶接部１１の少なくともいずれか１つは、防護層３が接触する領域の全部又は一部に粗化面又は凹凸面を有してもよい。
【００６９】
本発明を適用した基礎構造物８は、第１実施形態、第２実施形態、第３実施形態、第４実施形態の少なくとも一つの本発明を適用した防護層を有する鋼製部材１が用いられるものである。
【００７０】
本発明を適用した基礎構造物８は、前面側Ａと背面側Ｂとの境界に設けられるものであって、図２０に示すように、ハット形鋼矢板６又はＵ形鋼矢板７等が用いられた鋼製部材２と、鋼製部材２の軸芯方向Ｙで所定の範囲に設けられる防護層３とを備え、鋼製部材２には、防護層３の端縁部を保護する端面保護部材４が固定される。鋼製部材２は、軸芯方向Ｙの下部２ａが地盤８０に打設されて、又は埋め込まれて地盤に立設されるとともに、軸芯方向Ｙの上部２ｂが前面側Ａと背面側Ｂとの境界に設けられる。
【００７１】
本発明を適用した基礎構造物８は、複数の鋼製部材２の少なくとも一部に、防護層３及び防護層３を保護する端面保護部材４が固定された状態で、鋼製部材２が前面側Ａと背面側Ｂとの境界に設けられる。本発明を適用した基礎構造物８は、鋼製部材２の軸芯方向Ｙの所定範囲Ｌ１に防護層３が設けられる。この所定範囲Ｌ１は、構造設計（計算）や、設置環境（劣化環境、腐食環境、漂砂・流砂環境、漂流物環境等）によって決定されるものであり、例えば、大きな曲げモーメントが作用する部位をカバーする範囲や、鋼製部材２の変位を抑制するのに効果的な範囲に決定される。また、この所定範囲Ｌ１は、標準的な海洋環境において集中腐食が生じるおそれのある干満帯付近をカバーする範囲に決定されてもよい。
【００７２】
本発明を適用した基礎構造物８は、図２１（ａ）に示すように、防護層３の下側端縁部３３の位置が干潮面Ｓ１からの距離Ｌ２が１ｍ以深となるように、本発明を適用した防護層３を有する鋼製部材１を地盤８０に立設してもよい。また、本発明を適用した基礎構造物８は、図２１（ｂ）に示すように、防護層３の下側端縁部３３の位置が平均干潮面Ｓ２以深となるように、本発明を適用した防護層３を有する鋼製部材１を地盤８０に立設してもよい。
【００７３】
本発明を適用した基礎構造物８は、海水面８１において鋼製部材２の前面側Ａに防護層３が設けられる。本発明を適用した基礎構造物８は、図２２（ａ）に示すように、自立式鋼矢板壁において、防護層３の軸芯方向Ｙの上端３４が上部コンクリート８２に埋め込まれるようにしてもよい。このとき、防護層３の端部のうち上部コンクリート８２に埋め込まれる部分である上部端縁部３４を保護する上部端面保護部材は、省略してもよい。また、本発明を適用した基礎構造物８は、図２２（ｂ）に示すように、控え工８３と鋼製部材２の上部２ｂとがタイロッド８４で連結されて、タイロッド式の鋼矢板壁が構築されてもよい。なお、図２０〜図２２に示した本発明を適用した基礎構造物８は、電気防食を併用しても良い。
【００７４】
本発明を適用した防護層を有する鋼製部材１は、図２、１６〜１９に示すように、前面側Ａと背面側Ｂとの境界に設けられるハット形鋼矢板６、Ｕ形鋼矢板７、鋼管杭５又は鋼管矢板９の鋼製部材２と、鋼製部材２の軸芯方向Ｙで所定の範囲に設けられる防護層３とを備え、鋼製部材２は、防護層３の端縁部を保護する端面保護部材４が固定される。これにより、水流、波、紫外線、漂流物（特に、氷盤）の衝突や摺動による防護層３の端縁部からのまくれや剥がれを防止することができ、防食性能の低下を抑制できる。
【００７５】
本発明を適用した防護層を有する鋼製部材１は、図４に示すように、端面保護部材４は、軸芯方向Ｙに略平行な防護層３の両側端縁部である左側端縁部３１及び右側端縁部３２に沿って各々左側端面保護部材４１及び左側端面保護部材４２が配置される。これにより、水流、波、紫外線、漂流物の衝突や摺動による影響を受けやすい防護層３の両側端縁部３１，３２からのまくれや剥がれを防止することができ、防食性能の低下を抑制できる。
【００７６】
本発明を適用した防護層を有する鋼製部材１は、図５に示すように、端面保護部材４は、防護層３の下辺である下側端縁部３３に沿って下側端面保護部材４３が配置される。これにより、防護層３の下側端縁部３３からのまくれや剥がれを防止することができ、防食性能の低下を抑制できる。
【００７７】
本発明を適用した防護層を有する鋼製部材１は、図６に示すように、端面保護部材４は、防護層３の上辺である上側端縁部３４に沿って上側端面保護部材４４が配置される。これにより、防護層３の上側端縁部３４からのまくれや剥がれを防止することができ、防食性能の低下を抑制できる。
【００７８】
本発明を適用した防護層を有する鋼製部材１は、図７〜図１４に示すように、端面保護部材４は、溶接により鋼製部材２に固定される。これにより、端面保護部材４は、簡単な溶接加工等をするのみで、容易かつ低コストに端面保護部材４を鋼製部材２に確実に固定できる。
【００７９】
本発明を適用した防護層を有する鋼製部材１は、図７、図１２に示すように、端面保護部材４は、鋼製部材２の表面との隙間が楔状空間４５となるように固定され、防護層３は、端縁部が楔状空間４５の内に充填されるように設けられる。これにより、楔状空間４５内に食い込むように設けられるため防護層３の端縁部の浮きを機械的に抑制することができるとともに、防護層３の端縁部の接触面積が増加するため、防護層３の端縁部からのまくれや剥がれを効果的に防止することができ、防食性能の低下を効果的に抑制できる。
【００８０】
本発明を適用した防護層を有する鋼製部材１は、ハット形鋼矢板６の鋼製部材２は、防護層３が接触する領域の全部又は一部に粗化面６５、及び、凹凸面６６の少なくとも一方を有する。これにより、防護層３の端縁部のハット形鋼矢板６の鋼製部材２への密着性が向上し、防護層３の端縁部からのまくれや剥がれをより効果的に防止することができる。
【００８１】
本発明を適用した防護層を有する鋼製部材１は、端面保護部材４は、防護層３が接触する領域の全部又は一部に粗化面４７、及び、凹凸面４７の少なくとも一方を有する。これにより、防護層３の端縁部の端面保護部材４への密着性が向上し、防護層３の端縁部からのまくれや剥がれをより効果的に防止することができる。
【００８２】
本発明を適用した防護層を有する鋼製部材１は、図１４に示すように、溶接部１１は、防護層３が接触する領域の全部又は一部に粗化面１１ａ、及び、凹凸面１１ｂの少なくとも一方を有する。これにより、防護層３の端縁部の溶接部１１への密着性が向上し、防護層３の端縁部からのまくれや剥がれをより効果的に防止することができる。
【００８３】
本発明を適用した防護層を有する鋼製部材１は、図７〜１０に示すように、防護層３は、端縁部の厚みの大きさが、ハット形鋼矢板６の鋼製部材２の表面からの端面保護部材４の高さと略同一の大きさ以下である。これにより、防護層３の端縁部が突出しないため、防護層３の端縁部を水流、波、氷盤等の漂流物の衝突や摺動から防護することができ、防護層３の端縁部からのまくれや剥がれを効果的に防止することができる。
【００８４】
本発明を適用した防護層を有する鋼製部材１は、図７〜１０に示すように、端面保護部材４は、断面略円形状の丸鋼、断面略矩形状の角鋼、断面略三角形状の三角鋼、及び、断面略台形状の台形鋼の何れか又は何れか２つ以上の組み合わせで構成される。これにより、端面保護部材４は、丸鋼、角鋼、三角鋼、台形鋼など既存の鋼材を切断加工等するのみで、容易かつ低コストに作成できる。
【００８５】
本発明を適用した防護層を有する鋼製部材１は、図１１に示すように、端面保護部材４は、防護層３が設けられる側に傾斜面４６を有して固定され、ハット形鋼矢板６の鋼製部材２と傾斜面４６との間に防護層３の端縁部が充填される。防護層３が設けられる側に傾斜面４６を有して端面保護部材４が固定されることで、ハット形鋼矢板６の鋼製部材２の表面との隙間が楔状空間となるように固定され、防護層３は、端縁部がこの楔状空間の内に充填されるように設けられる。これにより、防護層３の端縁部が楔状空間内に食い込むように設けられるため、防護層３の端縁部の浮きを機械的に抑制することができるとともに、防護層３の端縁部の接触面積が増加するため、防護層３の端縁部からのまくれや剥がれを効果的に防止することができ、防食性能の低下を効果的に抑制できる。
【００８６】
本発明を適用した防護層を有する鋼製部材１は、図１２に示すように、端面保護部材４は、防護層３が設けられる側に傾斜面４６を有するように、防護層３が設けられる側と反対側が溶接により鋼製部材２に固定される。これにより、簡単な施工で、角鋼の端面保護部材４は、防護層３が設けられる側に傾斜面４６を有してハット形鋼矢板６の鋼製部材２に固定される。これにより、防護層３の端縁部が楔状空間内に食い込むように設けられるため防護層３の端縁部の浮きを機械的に抑制することができるとともに、防護層３の端縁部の接触面積が増加するため、防護層３の端縁部からのまくれや剥がれを効果的に防止することができ、防食性能の低下を効果的に抑制できる。
【００８７】
本発明を適用した防護層を有する鋼製部材１は、図１３に示すように、端面保護部材４は、鋼製部材２の表面に対して離間して配置される。これにより、防護層３の端縁部が浮いている分だけ余計に楔状空間内へ食い込むように設けられるため、防護層３の端縁部の浮きをより効果的に抑制することができる。
【００８８】
本発明を適用した防護層を有する鋼製部材１は、図３、１５〜１７に示すように、鋼製部材２は、鋼矢板、鋼管杭、及び、鋼管矢板の何れかで構成される。これにより、鋼製部材２は、鋼矢板、鋼管杭、鋼管矢板など既存の鋼製部材に端面保護部材４を溶接加工等するのみで、容易かつ低コストに作成できる。
【００８９】
本発明を適用した防護層を有する鋼製部材１の防護層３は、有機系材料を主成分とする。これにより、図１５に示すように、防護層３となるウレタン樹脂やエポキシ等の有機系材料を主成分とする材料３６を吹き付け塗装等するのみで、容易かつ低コストに防護層３の端縁部を端面保護部材４に食い込んだ状態とすることができる。
【００９０】
本発明を適用した防護層を有する鋼製部材１の基礎構造物８は、図２２に示すように、前面側Ａと背面側Ｂとの境界に設けられる鋼製部材２と、鋼製部材２の軸芯方向Ｙで所定の範囲に取り付けられる防護層３とを備え、鋼製部材２は、防護層３の端縁部を保護する端面保護部材４が固定され、軸芯方向Ｙの下部２ａが地盤８０に立設されるとともに、軸芯方向Ｙの上部２ｂが上部コンクリート８２に埋設される。これにより、防護層３の端部のうち上部コンクリート８２に埋め込まれる部分である上部端縁部３４を保護する上部端面保護部材は、省略できる。
【００９１】
本発明を適用した防護層を有する鋼製部材１の基礎構造物８は、図２１（ａ）に示すように、防護層３は、下辺となる下側端縁部３３の位置が、干潮面（Ｓ１）下１ｍ（Ｌ）以深である。これにより、地盤８０に、本発明を適用した防護層を有する鋼製部材１の基礎構造物８を施工した場合に、干潮により海面が下がった場合でも、本発明を適用した防護層を有する鋼製部材１の鋼製部材２を波、紫外線、漂流物の衝突や摺動による影響から確実に防護することができる。
【００９２】
本発明を適用した防護層を有する鋼製部材１の基礎構造物８は、図２１（ｂ）に示すように、防護層３は、下辺となる下側端縁部３３の位置が、平均干潮面（Ｓ２）以深である。これにより、地盤８０に、本発明を適用した防護層を有する鋼製部材１の基礎構造物８を施工した場合に、干潮により海面が下がった場合でも、本発明を適用した防護層を有する鋼製部材１の鋼製部材２を波、紫外線、漂流物の衝突や摺動による影響から確実に防護することができる。
【００９３】
本発明を適用した防護層を有する鋼製部材１の製造方法は、図１５に示すように、鋼製部材２に防護層３の端縁部を保護する端面保護部材４を固定する固定工程と、鋼製部材２、及び、端面保護部材４の少なくとも一方の全部又は一部に粗化面、及び、凹凸面の少なくとも一方を形成する素地調整工程と、粗化面、及び、凹凸面の少なくとも一方を含む領域にプライマ層３５を形成するプライマ塗装工程と、プライマ層３５の上に防護層３となる有機系材料３６を塗布する塗布工程とを備える。これにより、防護層３を有する鋼製部材１は、防護層３の端縁部を保護する端面保護部材４を現場で固定する溶接加工等を必要とせず、工場で製作できるため、容易かつ低コストに防護層１を有する鋼製部材１を用いた基礎構造物８を施工することができる。また、防護層を有する鋼製部材１の運搬時や立設時等のハンドリングにおいて、防護層３の端縁部が衝突や摺動により剥がれることを防止できる。
【００９４】
また、塗布工程において有機系材料３６を厚塗りする場合、端面保護部材４が防護層３の端部養生壁を兼ねるので、鋼製部材２に別途の端部養生壁を設置及び除去する必要がなく、工程を省略することができる。さらに、防護層３は、図９、１０に示すように、端縁部である端面保護部材４に向かって滑らかに厚みが増すように塗布することにより、防護層３の端縁部の付着面積及び浸透長が増加するため防護層３の端縁部のまくれや剥がれをより効果的に防止することができる。
【００９５】
本発明を適用した防護層を有する鋼製部材１を用いた基礎構造物の施工方法は、前面側Ａと背面側Ｂとの境界に設けられる鋼製部材２と、鋼製部材２の軸芯方向Ｙで所定の範囲に設けられる防護層３とを有し、防護層３の端縁部を保護する端面保護部材４が固定された鋼製部材２を、防護層３の下側端縁部３３の位置が、干潮面下１ｍ以深、又は、平均干潮面以深となるように地盤８０に立設する工程を備える。
【００９６】
これにより、防護層を有する鋼製部材１の立設時等のハンドリングにおいて、防護層３の端縁部が衝突や摺動により剥がれることを防止できる。また、干潮により海面が下がった場合でも、本発明を適用した防護層を有する鋼製部材１の鋼製部材２を波、紫外線、漂流物の衝突や摺動による影響から確実に防護することができる。また、本発明を適用した基礎構造物８は、電気防食を併用しても良く、防護層３の下辺である下側端縁部３３が電気防食される場合には、防護層３の下側端縁部３３は、電気防食により保護されるので、端面保護部材４を防護層３の下側端縁部３３に沿って溶接により固定する必要がなく、端面保護部材４の溶接量が少なくて済み、加工コストを低減することができる。
【００９７】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならない。
【符号の説明】
【００９８】
１      ：防護層を有する鋼製部材
１０    ：取付面
１１    ：溶接部
１１ａ  ：粗化面
１１ｂ  ：凹凸面
２      ：鋼製部材
２ａ    ：下部
２ｂ    ：上部
３      ：防護層
３１    ：左側端縁部
３２    ：右側端縁部
３３    ：下側端縁部
３４    ：上側端縁部
３５    ：プライマ層
３６    ：樹脂層
４      ：端面保護部材
４１    ：左側端面保護部材
４２    ：右側端面保護部材
４３    ：下側端面保護部材
４４    ：上側端面保護部材
４５    ：楔状空間
４６    ：傾斜面
４７    ：粗化面
４８    ：凹凸面
５      ：鋼管杭（鋼製部材）
６      ：ハット形鋼矢板（鋼製部材）
６１    ：フランジ部
６２    ：ウェブ部
６３    ：アーム部
６４    ：継手部
６５    ：粗化面
６６    ：凹凸面
７      ：Ｕ形鋼矢板（鋼製部材）
７１    ：フランジ部
７２    ：ウェブ部
７４    ：継手部
８      ：基礎構造物
８０    ：地盤
８１    ：海水面
８２    ：上部コンクリート
８３    ：控え工
８４    ：タイロッド
９      ：鋼管矢板（鋼製部材）
９４    ：継手部
Ａ      ：前面側
Ｂ      ：背面側
Ｓ１    ：干潮面
Ｓ２    ：平均干潮面
Ｘ      ：延長（法線）方向（壁幅方向）
Ｙ      ：鉛直方向（軸芯方向）
Ｚ      ：延長直角（法線直角）方向（奥行方向）
【図１】
2018084059.tif 000003
【図２】
2018084059.tif 000004
【図３】
2018084059.tif 000005
【図４】
2018084059.tif 000006
【図５】
2018084059.tif 000007
【図６】
2018084059.tif 000008
【図７】
2018084059.tif 000009
【図８】
2018084059.tif 000010
【図９】
2018084059.tif 000011
【図１０】
2018084059.tif 000012
【図１１】
2018084059.tif 000013
【図１２】
2018084059.tif 000014
【図１３】
2018084059.tif 000015
【図１４】
2018084059.tif 000016
【図１５】
2018084059.tif 000017
【図１６】
2018084059.tif 000018
【図１７】
2018084059.tif 000019
【図１８】
2018084059.tif 000020
【図１９】
2018084059.tif 000021
【図２０】
2018084059.tif 000022
【図２１】
2018084059.tif 000023
【図２２】
2018084059.tif 000024